(57)【要約】【課題】開口部を有するスパナ形状の工具にラチェット機能を持たせたものにおいて、抜差し作業なしで、ラチェット機能が働く回転の方向を切り替えることができるようにする。【解決手段】開口部２の内周の中央に設けられる固定支持部Ｓが、ナットなどの対象物Ａの６角形を構成する6辺のうち隣り合う2辺Ｎを対称に支持する。または、他の1辺Ｍを挟んで隣り合う2辺Ｎを対称に支持する。この固定支持部Ｓの回りで、略Ｃ型の爪３が、支持された対象物Ａの中心Ａｃより離れた位置を回転中心３ｃとしてスライドしながら正転および逆転する。この爪３の端部は、対象物Ａの６角形を構成して隣り合う2辺Ｎよりも遠く位置する角ｈ２を、捕らえるための形状を有する。この爪３は、駆動機構Ｌにより、手動または動力を使い、正転および逆転を行うことで、正転方向または逆転方向の2つの角ｈ２を、択一的に捕らえる。【選択図】図１
2014008584.tif 000002
【特許請求の範囲】
【請求項１】
６角形の対象物をラチェット機能を伴って回転させる為に使用され開口部を有するスパナ形状の工具であって、前記開口部の内周の中央に設けられ、前記対象物の６角形を構成する6辺のうち隣り合う2辺を対称に支持する、または他の1辺を挟んで隣り合う2辺を対称に支持する固定支持部と、この固定支持部の回りで前記支持された対象物の中心より離れた位置を回転中心としてスライドしながら正転および逆転して回転可能であり、前記６角形を構成して前記隣り合う2辺よりも遠く位置する角を捕らえるための形状を両端に有する略Ｃ型の爪と、この爪を手動によりまたは動力を使い前記正転および逆転を行うことで前記角のうち正転方向または逆転方向の角を択一的に捕らえる駆動機構と、を有することにより、前記工具を抜差しする作業なしでラチェット機能の方向を切換えできることを特徴とする双方向ラチェットスパナ形状工具。
【請求項２】
６角形の対象物をラチェット機能を伴って回転させる為に使用され開口部を有するスパナ形状の工具であって、前記開口部の内周の中央に設けられ、前記対象物の６角形を構成する6辺のうち隣り合う2辺を対称に支持する、または他の1辺を挟んで隣り合う2辺を対称に支持する固定支持部と、この固定支持部の回りで前記支持された対象物の中心より離れた位置を回転中心としてスライドしながら正転および逆転して回転可能であり、前記６角形を構成して前記隣り合う2辺よりも遠く位置する角を捕らえるための形状を先端に有し、この先端を外側にして隣り合って配置される２個の爪と、これらの爪を手動によりまたは動力を使い前記正転および逆転を各々行うことで、前記角のうち正転方向または逆転方向の角を択一的に捕らえ、さらには、前記角のうち正転方向および逆転方向の角を同時に捕らえる駆動機構と、を有することにより、前記工具を抜差しする作業なしでラチェット機能の方向を切換えでき、さらには、ラチェット機能を停止して対象物を確実に保持し両方向に回転できることを特徴とする双方向ラチェットスパナ形状工具。
【発明の詳細な説明】
【技術分野】
【０００１】
この発明は、６角形のボルト、ナット等の対象物をラチェット機能を伴って回転させる為に使用され、開口部を有するスパナ形状の工具に関する。
【背景技術】
【０００２】
ボルトやナット等の６角形の対象物を回転して締めたり緩めたりするには、スパナやレンチなどと呼ばれる工具が使用される。これらのうち、例えば図９（Ａ）に示すように、対象物１０１に嵌合する部分が、開いた開口部１０２となっているものを、スパナと呼ぶことが多い。
【０００３】
このような工具では、対象物を回転する作業において、回転角度が大きくなると、例えば６０度を超えると、一度、対象物から工具を外して、再び、対象物に嵌合することが必要になり、いわゆる抜き差し動作を繰り返しながら、回転作業を行わなければならない。
このような抜き差し動作の繰り返しを避けるために、図９（Ｂ）に示すように、対象物に嵌合する部分が閉じたメガネレンチなどでは、ラチェット機構が備えられる。
すなわち、対象物１０１と嵌合する部分１０３は、グリップ部１０６に対して回転可能に設けられ、この回転部分にラチェット機構１０５が備えられることで、回転して締めたり緩めたりする作業の方向、すなわち正転では、嵌合する部分１０３の回転が阻止され力が伝わり、他方、逆転では、回転が許されて、言わば空回りする。このラチェット機能により、抜き差し動作せずに、グリップ部１０６を繰り返し動かして、作業を行うことができる。
【０００４】
なお、ラチェット機構１０５を構成するラチェット歯列１０７に係止するラチェット爪１０９を、２つ設け、これらの爪１０９を切り替えレバー１１１で切り替えることで、ラチェット機能が働く回転の方向を、簡単に切り替えることができる。
しかし、そのようなラチェット機構１０５を、開口部を有するスパナ形状の工具には使用（図９（Ｃ）参照）できない。もし、そのようにすれば、図９（Ｄ）に示すように、１回転しないうちにラチェット歯列１０７とラチェット爪１０９の係止が外れて、ラチェット機構１０５が機能しなくなるからである。また、この図のように、開口部１０２がラチェット歯列１０７で覆われてしまえば、もはや開口部１０２ではなくなり、開口部を有するスパナ形状の工具ではなくなってしまう。
【０００５】
このため、開口部を有するスパナ形状の工具にラチェット機能を持たせるためには、
特殊な構造が必要である。例えば、下記特許文献１では図９（Ｅ）に示すように、逆転では、対象物１０１に押されたロック部材１１３がスプリング１１５の力に抗して動き押込まれ、対象物１０１にロック部材１１３を介しての力が伝わらないので、言わば空回りする。このラチェット機能により、開口部を有するスパナ形状の工具であっても、抜き差し動作せずに、グリップ部１０６を繰り返し動かして、作業を行うことができる。
【０００６】
さらに、例えば図９（Ｆ）に示すように、開口部を有するスパナ形状の工具にラチェット機能を持たせるため、開口部１０２の形状を、特殊な非対称の静的形状にするものが市販されている。すなわち、通常のスパナ形状の工具のように、中心線１１７に対称な形状から、例えば図中の斜線部１１９、１２１を取り去った非対称の形状にすることで、正転では、開口部１０２が対象物１０１を捕らえて力が伝わり、逆転では、開口部１０２が対象物１０１を捕らえずに滑り、言わば空回りする。このように、別段ラッチェット機構１０５を付加せずに、開口部１０２の形状を工夫することで、ラチェット機能を有し、よって、抜き差し動作せずに、グリップ部１０６を繰り返し動かして、作業を行うことができる。
【０００７】
このような非対称形状の開口部を有するスパナ形状の工具は、下記非特許文献１〜５に示すように複数が販売されている。 
【先行技術文献】
【特許文献】
【０００８】
【特許文献１】特開２０１０−１２００９１
【非特許文献】
【０００９】
【非特許文献１】http://www.suekage.co.jp/item/acrobat_pdf/7_028.pdf
【非特許文献２】http://www.blackhawk.co.jp/facom_40r_series_combination_page.html
【非特許文献３】http://www.f-gear.biz/direct/catalog/product_info.php?products_id=4164
【非特許文献４】http://www.supertool.co.jp/products/products.php?eid=00068
【非特許文献５】http://item.rakuten.co.jp/monju/signet30435/
【発明の概要】
【発明が解決しようとする課題】
【００１０】
しかしながら、図９（Ｅ）や（Ｆ）に示すように、開口部を有するスパナ形状の工具にラチェット機能を持たせたものは、ラチェット機能が働く回転の方向を切り替えることができない。このため例えば、対象物であるナットを、何度か回転させて、ある程度締めた後に、今度は、逆の方向へ何度か回転させ緩める場合などには、ラチェット機能が働く回転の方向を切り替えるため、一度、工具を裏返しにする必要があり、やはり工具を抜き差しする作業が必要になっていた。
【００１１】
このような抜き差しする作業の必要は、種々の場面で生じる。例えば、ある機械を構成するリンクの長さを調整する場合、その長さ調整は、リンク長さを固定しているボルトナットを締めたり緩めたりを繰り返して行う。また、機械の調子を見ながら、何度も繰り返す必要がある場合もある。
【００１２】
そのため、従来のように、開口部を有するスパナ形状の工具にラチェット機能を持たせたものでは、工具を裏返しにする作業を繰り返す必要があり、作業が煩雑であった。さらに、工具を裏返すために、手で持ち替える作業の際、手から工具を落としてしまい、作業を停止してしまう事もあった。
【００１３】
そこで本発明は、開口部を有するスパナ形状の工具にラチェット機能を持たせたものにおいて、抜差し作業なしで、ラチェット機能が働く回転の方向を切り替えることができる双方向ラチェットスパナ形状工具を提供することを課題とする。
【課題を解決するための手段】
【００１４】
以上の課題を解決するために、第一発明は、６角形の対象物をラチェット機能を伴って回転させる為に使用され開口部を有するスパナ形状の工具であって、前記開口部の内周の中央に設けられ、前記対象物の６角形を構成する6辺のうち隣り合う2辺を対称に支持する、または他の1辺を挟んで隣り合う2辺を対称に支持する固定支持部と、この固定支持部の回りで前記支持された対象物の中心より離れた位置を回転中心としてスライドしながら正転および逆転して回転可能であり、前記６角形を構成して前記隣り合う2辺よりも遠く位置する角を捕らえるための形状を両端に有する略Ｃ型の爪と、この爪を手動によりまたは動力を使い前記正転および逆転を行うことで前記角のうち正転方向または逆転方向の角を択一的に捕らえる駆動機構と、を有することにより、前記工具を抜差しする作業なしでラチェット機能の方向を切換えできることを特徴とする双方向ラチェットスパナ形状工具である。
【００１５】
第二発明は、６角形の対象物をラチェット機能を伴って回転させる為に使用され開口部を有するスパナ形状の工具であって、前記開口部の内周の中央に設けられ、前記対象物の６角形を構成する6辺のうち隣り合う2辺を対称に支持する、または他の1辺を挟んで隣り合う2辺を対称に支持する固定支持部と、この固定支持部の回りで前記支持された対象物の中心より離れた位置を回転中心としてスライドしながら正転および逆転して回転可能であり、前記６角形を構成して前記隣り合う2辺よりも遠く位置する角を捕らえるための形状を先端に有し、この先端を外側にして隣り合って配置される２個の爪と、これらの爪を手動によりまたは動力を使い前記正転および逆転を各々行うことで、前記角のうち正転方向または逆転方向の角を択一的に捕らえ、さらには、前記角のうち正転方向および逆転方向の角を同時に捕らえる駆動機構と、を有することにより、前記工具を抜差しする作業なしでラチェット機能の方向を切換えでき、さらには、ラチェット機能を停止して対象物を確実に保持し両方向に回転できることを特徴とすることを特徴とする双方向ラチェットスパナ形状工具である。
【発明の効果】
【００１６】
第一、又は第二発明によれば、６角形の対象物は、開口部の固定支持部により、６角形を構成する6辺のうち隣り合う2辺を対称に支持され、または他の1辺を挟んで隣り合う2辺を対称に支持される。そして、開口部の爪により、隣り合う2辺よりも遠く位置する角を択一的に捕らえられる。この状態で、開口部の形状は、非対称の形状になり、正転では、開口部が対象物を捕らえて力が伝わり、逆転では、開口部が対象物を捕らえずに滑り、言わば空回りし、よって、ラチェット機能を奏する。
【００１７】
そして、爪を、駆動機構により手動または動力を使って、正転または逆転することで、隣り合う2辺よりも遠く位置する角のうち正転方向または逆転方向の角を、択一的に捕らえ直す。これにより、ラチェット機能の方向を切換えできる。したがって、ラチェット機能の方向を切換えるために、工具を抜差しする作業はいらなくなる。
【００１８】
第二発明によれば、さらに、２個の爪を、駆動機構により手動または動力を使って、正転または逆転することで、隣り合う2辺よりも遠く位置する角のうち正転方向および逆転方向の角を、同時に捕らえることで、ラチェット機能を停止して、対象物を確実に保持し両方向に回転できる。
【図面の簡単な説明】
【００１９】
【図１】（Ａ）は、この発明の第一実施形態にかかる工具の全体図、（Ｂ）は（Ａ）の対象物の図である。
【図２】（Ａ）（Ｂ）（Ｃ）は図１の爪の動作を示す図である。
【図３】（Ａ）は図２（Ａ）の要部拡大図、（Ｂ）は図２（Ｃ）の要部拡大図である。
【図４】（Ａ）（Ｂ）（Ｃ）（Ｄ）は、図１の工具全体の動作を順に示す説明図である。
【図５】（Ａ）（Ｂ）（Ｃ）（Ｄ）（Ｅ）（Ｆ）（Ｇ）は、図４（Ｃ）から（Ｄ）における動作を詳しく順に示す説明図である。
【図６】この発明の第二実施形態にかかる工具を説明するもので、（Ａ）（Ｂ）（Ｃ）（Ｄ）は、爪の動作を示す図である。
【図７】この発明の第二実施形態にかかる他の変形例の工具を、他の使用状態で説明するもので、（Ａ）（Ｂ）（Ｃ）（Ｄ）は、爪の動作を示す図、（Ｅ）は工具によって回転される対象物の図である。
【図８】この発明の第三実施形態にかかる工具を説明するもので、（Ａ）（Ｂ）（Ｃ）は爪の動作を示す図である。
【図９】従来の工具を説明するもので、（Ａ）は通常のスパナの先部を示す図、（Ｂ）はラチェットメガネレンチの先部を示す図、（Ｃ）（Ｄ）は（Ｂ）の構造を、開口部を有するスパナ形状の工具に使用できないことを示す図、（Ｅ）は開口部を有するスパナ形状の工具にラチェット機能を持たせるための特殊な動く構造を示す図、（Ｆ）は開口部を有するスパナ形状の工具にラチェット機能を持たせるための特殊な静的形状を示す図である。
【発明を実施するための形態】
【００２０】
［第一実施形態］
この発明の第一実施形態を、図１〜図５に示す。
［全体概略］
図１（Ａ）に示すように、この第一実施形態にかかる工具は、ボルトヘッドやナットなどの６角形の対象物Ａを、ラチェット機能を伴って、回転させる為に使用され開口部２を有するスパナ形状の工具であり、しかも、工具を抜差しする作業なしでラチェット機能の方向を切換えできるようにしたものである。
【００２１】
すなわち、工具本体１の先端に開口部２が形成され、後方にグリップ部７が形成される。開口部２の内周の中央には、固定支持部Ｓが設けられる。この固定支持部Ｓは、対象物Ａの６角形を構成する6辺のうち隣り合う2辺Ｎを対称に支持する、または、他の1辺Ｍを挟んで隣り合う2辺Ｎを対称に支持する。この固定支持部Ｓの回りに略Ｃ型の爪３が設けられる。この爪３は、支持された対象物Ａの中心より離れた位置を回転中心として、固定支持部Ｓの回りを、スライドしながら正転および逆転して回転可能である。この爪３の両端は、６角形を構成して前記隣り合う2辺Ｎよりも遠く位置する角ｈ２を、捕らえるための形状を有する。この爪３は、駆動機構Ｌで、手動によりまたは動力を使い、正転および逆転を行うことで、２つの前記角ｈ２のうち正転方向または逆転方向の角ｈ２を択一的に捕らえる。これにより、工具を抜差しする作業なしで、ラチェット機能の方向を切換えできることができる。
【００２２】
［対象物の６角形］
図１（Ｂ）に示すように、ボルトヘッドやナットなどの対象物Ａの６角形は、６つの辺と６つの角で構成される。
そして、工具の開口部２の奥で、6辺のうち隣り合う2辺Ｎが対称に支持される。これら2辺Ｎよりも遠く位置する角は、５つ有る。これら５つの角のうち、最も遠い角ｈ１が１つ、次に遠い角ｈ２が２つ、その次に遠い角ｈ３が２つである。この実施形態の工具では、次に遠い２つの角ｈ２が、択一的に、爪３によって捕らえられる。
【００２３】
［固定支持部］
固定支持部Ｓは、略三日月状をなし、開口部２の内周の中央において、グリップ部７に連続し固定して設けられる。略三日月状の中央部は凹み、両端部分との間には角部Ｓａが形成される。この角部Ｓａが、対象物Ａの６角形を構成する6辺のうち隣り合う2辺Ｎに接して、固定支持部Ｓと対象物Ａの中心線Ｂを対称線（図３参照）として、対称な状態で支持する。
【００２４】
［爪］
工具本体１の固定支持部Ｓの回りには、グリップ部７との間で、略Ｃ型のスライド溝Ｔが形成される。このスライド溝Ｔに、略Ｃ型の爪３が、スライド自在に嵌合して設けられる。これら２つの略Ｃ型の半径および中心は同じである。このようにして爪３がスライドして回転することが可能になる。
【００２５】
略Ｃ型の中心、すなわち爪３の回転中心３ｃは、対象物Ａである６角ボルトの回転中心Ａｃとは異なり、回転中心Ａｃよりも開口部２奥側に回転中心３ｃが、位置する。
図３に示すように、爪３の回転中心３ｃを設定するには、爪３の爪接触箇所３ａを通過し、対象物Ａの６角形の角に接触せず、かつ接触させたいポイントがある６角形の辺Ａｄの角ｈ２の周辺を通過する円で、さらに、その中心が中心線Ｂ上にある円の中心である事が条件となる。それらの条件を満たすのが図中の円Cであり、その円Cの中心が爪回転中心３ｃとする。
【００２６】
この爪３は、スライドしながら回転して移動し、対象物Ａである６角ボルトの６角形の前側の辺Ａｄの手前にある角ｈ２を捕らえるための形状を、両端に持つ。後述する他の実施形態の爪と異なり、正転、逆転兼用である一体型の爪３である。
【００２７】
［駆動機構］
図２（Ａ）に示すように、爪３の略Ｃ型をなす形状において、一方の端には、リンク４の一端がピン結合され、他端がブロック５にピン結合される。このブロック５は直方体をなし、グリップ部７の前後方向に形成された長めの直方体の溝５Ｔに、長手方向へスライド可能に嵌合する。溝５Ｔの前後にはスプリングスペースＡ８、スプリングスペースＢ９が連通する。そして、図２（Ｂ）に示すように、スプリングスペースＡ８に圧縮スプリング８ａが納められ、ブロック５を付勢する。ブロック５には指で前後方向へスライドできるように、ノブ６が設けられる。このようにして手動により指で駆動できる駆動機構Ｌが構成される。
【００２８】
図２（Ｂ）に示すように、圧縮スプリング８aをスプリングスペースＡ８に入れるとブロック５がグリップ部７方向に動き反時計回りが優先の状態になる。その際、爪３は対象物Ａに対し、図中２ａ、３ｂのポイントで接触し、回転力を伝える状態になる。
そして図２（Ｃ）に示すように、回転方向を反転させたい時、ノブ６を動かす事で、内部のＣ型の爪３がスライド回転し、現在の回転方向に必要な対象物Aとしてのボルトの角への接触を解除しつつ、同時に反対の回転方向に必要な逆側のボルトの角を捕らえることが出来、反対方向への回転が可能な状態になる。その際、３ａ、２ｂのポイントで接触し、回転力を伝える状態になる。
【００２９】
この駆動機構Ｌの各部の動きを図中の矢印で示す。対象物AとしてのボルトＡの回転方向を反転させたい時は、ノブ６を反対に動かす事で、内部のＣ型の爪３がスライド回転し、現在の回転方向に必要なボルトの角への接触を解除しつつ、同時に反対の回転方向に必要な逆側の角を捕らえることができ、回転方向を反転できる構造となる。
【００３０】
「第一実施形態の作用・効果」
第一実施形態にかかる工具の効果を図４，図５、図２を中心に説明する。
すなわち、工具を対象物Ａに対して抜差し作業する事無く、ノブ６を動かす事により、ラチェット機能の方向を切換えできることを、説明する。
（ラチェット機能）
まず、ラチェット機能自体の説明を、図４，図５を中心に説明する。
始めに図４，図５の爪３の状態は、図２（Ｂ）、図３（Ａ）の状態と同じである。図４（Ａ）（Ｂ）、図２（Ｂ）、図３（Ａ）に示すように、６角形の対象物Ａは、開口部２の固定支持部Ｓにより、６角形を構成する6辺のうち隣り合う2辺Ｎを対称に支持される。もっとも、図７に示すように、他の1辺Ｍを挟んで隣り合う2辺Ｎを対称に支持することもできるが、ここでは説明を略し、後述する。
【００３１】
図４（Ａ）の爪３の位置が圧縮スプリング８ａに付勢された通常の状態である。そして、この爪３をスライド回転することにより、隣り合う2辺Ｎよりも遠く位置する角ｈ２を択一的に捕らえられる。そして、図４（Ａ）（Ｂ）の爪３の状態は、図中爪３の両端のうち下の端が前方に突出し、隣り合う2辺Ｎよりも遠く位置する２つの角ｈ２のうち、図中下の角ｈ２が、捕らえられる。圧縮スプリング８ａの働きで、爪３が角ｈ２を捕らえた感触が、手応えとして伝わる。
【００３２】
この状態で、開口部２の形状は、非対称の形状になり、正転では、すなわち図４（Ｂ）から（Ｃ）のように反時計回り回転では、開口部２が対象物Ａを捕らえて力が伝わる。しかし、逆転では、すなわち図４（Ｃ）から（Ｄ）のように時計回り回転では、開口部２が対象物Ａを捕らえずに滑り、言わば空回りし、よって、ラチェット機能を奏する。
【００３３】
この逆転における空回りの様子を図５に詳しく説明する。すなわち逆転である時計回り回転では、回転初期（図５（Ａ））から、回転が１０度ほど進んで（図５（Ｂ））、隣り合う2辺Ｎの支持が滑り、爪３が外れ始め、回転が２０度ほど進んで（図５（Ｃ））、外れた爪３は圧縮スプリング８ａ（図4など参照）の働きで戻り始め、回転が３０度〜５０度ほど進んで（図５（Ｄ）〜（Ｆ））、外れた爪３はさらに戻り、固定支持部Ｓは、次の、隣り合う2辺Ｎの支持に移り始める。さらに、回転が６０度ほど進むと（図５（Ｇ））、爪３は次の角を捕らえ、固定支持部Ｓは、次の、隣り合う2辺Ｎの支持を行い、次の正転への準備が完了する。
【００３４】
このようにして、逆転において、開口部２が対象物Ａを捕らえずに滑り、言わば空回りし、よって、ラチェット機能を奏する。このラチェット機能により、工具を抜差しせずに、工具の正転と逆転を繰り返して、対象物Ａを同じ方向へ回転できる。
【００３５】
（ラチェット機能の方向の切換え）
次に、ラチェット機能の方向の切換えを、図２を中心に説明する。
まず、前述した図４（Ｄ）および図５（Ｇ）の爪３の状態は、図２（Ｂ）、図３（Ａ）の状態と同じであり、爪３の両端のうち図中下の端が前方に突出し、隣り合う2辺Ｎよりも遠く位置する２つの角ｈ２のうち、図中下の角ｈ２を、捕らえられていた。この状態では、前述したように、工具の開口部２が対象物Ａを捕らえて力が伝わる工具の正転は、図中の反時計回りであり、工具の開口部２が対象物Ａを捕らえずに空回りする工具の逆転は、図中の時計回りであった。
【００３６】
そして次には、図２（Ｃ）、図３（Ｂ）に示すように、爪３を、駆動機構Ｌで手動により、逆転、すなわち図中反時計回りに回転することで、爪３の両端のうち図中上の端が前方に突出し、隣り合う2辺Ｎよりも遠く位置する２つの角ｈ２のうち、図中上の角ｈ２を、捕らえ直す。このようにして、形成される開口部２の新たな非対称の形状は、図４，図５で説明したのと同様にラチェット機能を有する。
【００３７】
さらに、図２（Ｂ）、図３（Ａ）に示される開口部２の非対称の形状と、図２（Ｃ）、図３（Ｂ）に示される開口部２の新たな非対称の形状とは、中心線Ｂ（図３参照）を挟んで対称である。このため、新たな非対称の形状によって、今までとは反対に、工具の開口部２が対象物Ａを捕らえて力が伝わる工具の正転は、図中の時計回りであり、工具の開口部２が対象物Ａを捕らえずに空回りする工具の逆転は、図中の反時計回りとなる。
このようにして、ラチェット機能の方向を切換えられる。
【００３８】
このように爪３を回転することで、隣り合う2辺Ｎよりも遠く位置する角ｈ２のうち正転方向または逆転方向の角ｈ２を、択一的に捕らえ、これにより、ラチェット機能の方向を切換えできる。したがって、ラチェット機能の方向を切換えるために、工具を抜差しする作業はいらなくなる。
【００３９】
［第二実施形態］
この発明の第二実施形態を、図６，図７に示す。
基本的な思技術的思想と構成は、第一実施形態と同じであり、図中、共通する部分には共通する符号を付す。以下、異なる点を中心に説明する。
［全体概略］
図６（Ａ）に示すように、大きく異なる点は、主に、爪３が２個設けられ、各爪３に駆動機構Ｌが備えられる点である。すなわち、同じ回転中心としてスライドしながら正転および逆転して回転可能な爪３が２個設けられる（図６（Ｂ）（Ｃ））。これらの爪３は、各々、対象物Ａの６角形の角ｈ２を捕らえるための形状を先端に有し、この先端を外側にして隣り合って配置される。各駆動機構Ｌは、２個の爪３を手動により、同じ方向への回転、すなわち正転や逆転を各々行うことで、６角形の角ｈ２のうち正転方向または逆転方向の角ｈ２を、択一的に捕らえることができる。これにより、工具を抜差しする作業なしでラチェット機能の方向を切換えできる。
【００４０】
このとき、図６（Ｃ）では、爪３は２Ａａ、３Ａｂのポイントで対象物Ａに接触し、回転力を伝える状態になる。
また、各駆動機構Ｌは、正転方向および逆転方向の角ｈ２を２つともに、同時に捕らえることができ（図６（Ｄ））、これにより、ラチェット機能を停止して対象物Ａを確実に保持し、通常のスパナのように、あるいはそれ以上の確実さで、対象物Ａを両方向に回転できる。このとき、爪３は３Ａａ、２Ａａ、３Ａｂ、２Ａｂの４箇所のポイントで対象物Ａに接触し、回転力を伝える状態になる。
【００４１】
図６の使用方法では、固定支持部Ｓは、対象物Ａの６角形を構成する6辺のうち隣り合う2辺Ｎを対称に支持する。
図７の使用方法では、固定支持部Ｓは、対象物Ａの６角形を構成する6辺のうち、他の1辺Ｍを挟んで隣り合う2辺Ｎを対称に支持する。
［爪］
２つの爪３は、第一実施形態の略Ｃ型の爪３が、中央で２つに分割した弓形の形状を有する。２つの爪３は、第一実施形態と同様の略Ｃ型のスライド溝Ｔの中に、先端を外側にして、対称な状態で隣り合って配置され、スライド自在に嵌合される。
【００４２】
［駆動機構］
駆動機構Ｌは、各爪３に、第一実施形態とほぼ同じ駆動機構Ｌが、それぞれ備えられる。２つの駆動機構Ｌは、平行に、配置される。各爪３の先端付近には、リンク４の一端がピン結合され、他端がブロック５にピン結合される。第一実施形態とほぼ同じに、このブロック５は直方体をなし、グリップ部７の前後方向に形成された長めの直方体の溝５Ｔに、長手方向へスライド可能に嵌合する。
【００４３】
「第二実施形態の作用・効果」
この第二実施形態の作用・効果は、第一実施形態とほぼ同じであり、以下、異なる点を中心に説明する。
各駆動機構Ｌは、第一実施形態と同じに、爪３を、手動により、正転や逆転させることができる。そして、２つの駆動機構Ｌは、爪３を、同じ方向への回転、すなわち正転や逆転を、各々、行うことで、第一実施形態と同じ作用効果を得る。すなわち、例えば図６（Ｂ）（Ｃ）では、対象物Ａの６角形の角ｈ２のうち正転方向または逆転方向の角ｈ２を、択一的に捕らえることができる。これにより、工具を抜差しする作業なしでラチェット機能の方向を切換えできる。
【００４４】
また、２つの駆動機構Ｌは、爪３を、別の方向への回転することで、各爪３の先端をともに前方に突出ができ、隣り合う2辺Ｎよりも遠く位置する２つの角ｈ２を、両方ともに、同時に捕らえることができる（図６（Ｄ））。すなわち、図中上の駆動機構Ｌは、爪３の先端をともに前方に突出させ、隣り合う2辺Ｎよりも遠く位置する２つの角ｈ２のうち、図中上の角ｈ２を、捕らえる。同時に、図中下の駆動機構Ｌは、下の爪３を、逆転することで、爪３の先端を前方に突出させ、隣り合う2辺Ｎよりも遠く位置する２つの角ｈ２のうち、図中下の角ｈ２を、捕らえる。
【００４５】
これにより、ラチェット機能を停止して対象物Ａを確実に保持し、通常のスパナのように、あるいはそれ以上の確実さで、対象物Ａを両方向に回転できる。
（使用方法）
図６の使用方法では、固定支持部Ｓは、対象物Ａの６角形を構成する6辺のうち、直に隣り合う2辺Ｎを対称に支持する。この場合、隣り合う2辺Ｎよりも遠く位置する５つの角のうち、最も遠い角の次に遠い２つの角ｈ２が、択一的に、爪３によって捕らえられる。
【００４６】
しかし、そのような使用方法に限らず、図７の使用方法のように、対象物Ａの姿勢を変え、固定支持部Ｓは、６角形を構成する6辺のうち、他の1辺Ｍを挟んで間接的に隣り合う2辺Ｎを対称に支持する対称に支持することもできる。
図７（Ｅ）に示すように、姿勢を変えた対象物Ａは、間接的に隣り合う2辺Ｎよりも遠く位置する角は、４つ有る。これら４つの角のうち、最も遠い角ｈ４が２つ、次に遠い角ｈ５が２つである。この実施形態の工具では、次に遠い２つの角ｈ５が、択一的に、爪３によって捕らえられる。
【００４７】
これにより、径の若干異なる対象物Ａにも、開口部２をフィットさせ、力をうまく伝えることができる。なお、この場合、隣り合う2辺Ｎよりも遠く位置する５つの角のうち、その次に遠い２つの角ｈ５が、すなわち最も近い２つの角ｈ５が、択一的に、爪３によって捕らえられる。
【００４８】
このとき、図７（Ｂ）では、爪３は３Ｂｃ、２Ｂｄのポイントで対象物Ａに接触し、回転力を伝える状態になる。図７（Ｃ）では、爪３は２Ｂｃ、３Ｂｄのポイントで対象物Ａに接触し、回転力を伝える状態になる。図７（Ｄ）では、爪３は３Ｂｃ、２Ｂｃ、３Ｂｄ、２Ｂｄの４箇所のポイントで対象物Ａに接触し、回転力を伝える状態になる。
【００４９】
なお、このような図６，図７のように対象物Ａの姿勢を３０度変えた使用方法は、この第二実施形態に限らず、前述の第一実施形態、後述する第三実施形態にも、適用できる。
【００５０】
（爪の形状）
図６に対して図７の爪３の形状や固定指示部Sの形状は異なる。図６の爪３には、対象物Ａの角ｈ２を捕らえるための小さな三角形の凹み３Ｔがあったが、図７の爪３にはそのような凹みはない。凹みはなくても、角h5を捕らえる事ができる。さらに三角形のスペース３Ｓを取る事により空回り方向が滑らかになる。
【００５１】
［第三実施形態］
この発明の第三実施形態を、図８に示す。
基本的な思技術的思想と構成は、第一実施形態と同じであり、図中、共通する部分には共通する符号を付す。以下、異なる点を中心に説明する。
［全体概略］
図８（Ａ）に示すように、前述の第一実施形態とこの第三実施形態とで大きく異なる点は、主に、開口部２とグリップ部７との位置関係である。すなわち、第一実施形態では開口部２の向く方向とグリップ部７の延びる方向は、逆方向であったが、この第三実施形態では、同方向である。つまり、第一実施形態では、開口部２の背側にグリップ部７が連続し、開口部２の口が向く方向とグリップ部７の延びる方向は、逆方向である。しかし、この第三実施形態では、開口部２の有する両端部のうち、一方の端部にグリップ部７が連続し、開口部２の口が向く方向と同じ方向にグリップ部７が延びる。このようにして、工具全体は、言わば「J」の字状になる。
【００５２】
図８（Ｂ）に示すように、圧縮スプリング８aを用いブロック５を押すように動かせると、各部が図中の矢印方向に動き、時計回りが優先の状態になる。その際、２Ｃｅ、３Ｃｆのポイントで接触し、回転力を伝える状態になる。
図８（Ｃ）に示すように、回転方向を反転させたい時、ノブ６を矢印方向に動かす事で、内部のＣ型の爪３がスライド回転し、現在の回転方向に必要なボルトの角への接触を解除しつつ、同時に反対の回転方向に必要な逆側のボルトの角を捕らえ直すことが出来、反対方向への回転が可能な状態になる。その際、３Ｃｅ、２Ｃｆのポイントで接触し、回転力を伝える状態になる。
【００５３】
このようにして、工具全体が言わば「Ｊ」の字状になることから、対象物Ａの直前にスペースがなく、対象物Ａの背後にスペースがある場合などには、第三実施形態の工具が使用しやすい。
【００５４】
「他の実施形態」
本発明は以上述べた実施形態に限定されるものではく、他の種々の実施形態が可能である。
例えば、以上の実施形態では、駆動機構Ｌは、手動によりリンク機構を用いて駆動を行うものであったが、他の実施形態では、エアシリンダーなど直動の原動力、モータ等の回転の原動力など様々な動力と機構でも可能である。
また、圧縮スプリング８ａは使い勝手により優先方向を変えるために入れ替える事も出来る。すなわち、以上の実施形態の図２（Ｂ）では、スプリングスペースＡ８に圧縮スプリング８ａが納められ、ブロック５を後方へ付勢するが、他の実施形態では、スプリングスペースＢ９に圧縮スプリング８ａを納め、ブロック５を前方へ付勢することができる。
【００５５】
この明細書において、スパナ形状工具とは、実際の呼称がスパナやレンチであるか否かにかかわらず、対象物に嵌合する部分が、開いた開口部２となっている工具をいう  ものとする。
【産業上の利用可能性】
【００５６】
この発明の工具は、手動で用いる工具としてだけではなく、他の色々な産業機械の一部として利用されることも考えられる。また、この工具を産業ロボットに持たせれば、ロボットは工具を対象物に嵌合し、工具の正転と逆転を繰り返して、対象物を同じ方向へ回転できるが、このとき、ラチェット機能の方向の切換えは、工具に備わった駆動機構Ｌの切換機構にまかせればよく、スパナ抜いたりを差したりする切換え作業は不要にでき、従来ロボット化出来なかった作業も自動化し易くなる。
【符号の説明】
【００５７】
１・・工具本体、
２・・開口部、
３・・爪、
３ａ・・爪接触箇所、
３ｃ・・爪回転中心、
４・・リンク、
５・・ブロック
６・・ノブ、
７・・グリップ部、
８・・スプリングスペースＡ、
８ａ・・圧縮スプリング、
９・・スプリングスペースＢ、
Ａ・・対象物（６角ボルトや６角ナットなど）
Ａｃ・・対象物の回転中心、
Ａｄ・・対象物の前側の辺、
Ｂ・・中心線、
Ｃ・・爪がスライド回転する円、
ｈ１〜ｈ５・・角
ｈ２，ｈ５・・爪で捕らえられる角
Ｌ・・駆動機構、
Ｍ・・他の１辺、
Ｎ・・隣り合う２辺、
Ｓ・・固定支持部、
Ｓａ・・固定支持部の角部、
Ｔ・・スライド溝、
５Ｔ・・ブロックの溝。
【図１】
2014008584.tif 000003
【図２】
2014008584.tif 000004
【図３】
2014008584.tif 000005
【図４】
2014008584.tif 000006
【図５】
2014008584.tif 000007
【図６】
2014008584.tif 000008
【図７】
2014008584.tif 000009
【図８】
2014008584.tif 000010
【図９】
2014008584.tif 000011